【手続補正書】
【提出日】平成17年7月15日(2005.7.15)
【手続補正１】
【補正対象書類名】特許請求の範囲
【補正対象項目名】全文
【補正方法】変更
【補正の内容】
【特許請求の範囲】
【請求項１】
合成、触媒作用、燃焼、燃焼からの排気、および熱エンジンサイクル性能、化学反応の動力学、物質の物理的、化学的性質、波の発生、伝搬および振動を制御する、物質の分子工学のためのプロセスであって、
（ａ）図１から４に記載されている半導体、ナノワイヤ、ナノチューブ、同軸空洞共振器兼プラズマ加速器、導波管、電極、電磁波源から作られた合成装置を製造、使用するステップと、
（ｂ）所望の物質を前記合成装置を通過させるステップと、
（ｃ）電位によって活性化されたコイルによって軸方向電磁界を発生させ、かつ、結果的に前記合成装置内にプラズマを生じさせる電流値で前記合成装置の内部導体によってアジマス方位電磁界を発生させるステップと、
（ｄ） 前記電磁波が、熱および音響と共同または単独で、ナノワイヤ、ナノチューブのアレイの一部を形成する半導体の伝導帯中の電子および導波管、同軸管の半導体層中の電子、およびナノワイヤ、ナノチューブのアレイを促進する導波管を流れる物質の電子および半導体の広いバンドギャップの電子を励起し、室温での利得の要因となってレーザアクションを生じる電子-正孔プラズマメカニズムによって光子を放出し、ナノワイヤ、ナノチューブがファブリ−ペロー共振空洞および光増幅の利得媒質の役目をするステップと、
（ｅ） 前記ナノワイヤ、ナノチューブアレイは同軸管、導波管、または適切な巻数の電磁波源コイルを備えた導波管の金属コンタクトプロセス中で、酸化亜鉛、二酸化ケイ素、窒化ガリューム、酸化第２鉄、フラーレン、５酸化バナジウム等の半導体材料によって形成し、ナノワイヤ、ナノチューブアレイを含む同軸管または導波管の間隙は特定のナノワイヤ、ナノチューブに適したポリマーまたは誘電体で充填し、触媒および促進剤を使用してポリマーまたは誘電体を固体化し、複合体に電気的、光学的、熱的、および機械的性質の所望の組み合わせを与えるステップと、
（ｆ） 金属ナノ粒子アレイの回折限界以下の電磁エネルギがナノ粒子中にプラズモンに有利な共振を発生し、結果としてナノスケールの光学的機能を生じて、粒子間距離に基づいた近傍界結合を生じて導波管中を伝搬するプラズモン波を発生するステップと、
（ｇ） 波を導波管中で伝搬、増幅、減衰させ、かつ磁気円形２色性を発生させるステップと、
（ｈ）電子を加速して、結果的に衝突または無衝突イオン化、空間電荷の形成、コールドプラズマの発生、プラズマ加速、およびエネルギ輸送を促進するプラズマ振動を引き起こすステップと、
（ｉ）フェルミ表面での波動相互作用および表皮層よりも小さなエネルギギャップによって分子がエネルギを吸収、開放し、電磁波の伝搬を遅延、促進して、電荷の転移による電子密度の変化を生じて、触媒の電磁的性質に類似した環境を生じるステップと、
（ｊ）マイクロ波、ミリ波、表面波、プラズマ波、縦型静電ウィグラ、空間電荷波、静電イオン-サイクロトロン波、プラズマに関連するアルフェン波、超音波、または音波または電子波を含む上記全ての波の組み合わせでスペクトラル発光、放出または放射の形でエネルギを開放、吸収するステップと、
（ｋ）熱、光、スペクトル発光、ならびに異なる振幅および周波数を持つ多種多様な波の形で解放されたエネルギを結合またはフィルタリングして、電位の印加により発生する電磁波と共に伝搬または共振させ、電子の共振捕獲、または電子の捕獲、または電子の注入を通して波とプラズマおよび物質のエネルギの伝達を促進するステップと、
（ｌ）熱、光、スペクトル発光、多種多様な波のエネルギ、および電子の移動の相乗効果を促進して、物質分子の並進エネルギ、振動エネルギ、回転エネルギ、および電子運動を変化させ、物質の分子エネルギ準位の変化、分子結合角度の変化に影響を与え、物質の物理化学的性質のいずれか一つ、全て、または組合せの変化のための構造または結合変化を生じるステップと、
（ｍ）温度、密度、粘度、状態変化、物質中の空間電荷、分子の励起によるピコ秒ラジカル形成、物質の分子結合の再配置、活性化エネルギレベル、エンタルピ、エントロピ、表面張力、比熱容量のいずれか１つまたは組み合わせの変化を促進し、励起条件下で、または合成装置を通過してから数ピコ／ナノ秒後まで、変化した特性を持つ物質を結果的にもたらし、化学プロセス、燃焼における化学反応、触媒、合成、反応動力学の速度定数値を変化させて異なった熱伝達、熱開放、異なった質量バランスを備えている異なった最終製品を生じるステップとを含むプロセス。
【請求項２】
前記波が電磁波、マイクロ波、ミリ波、超音波、音波、表面波、プラズマ波、縦型静電ウィグラ、空間電荷波、静電イオン−サイクロトロン波、プラズマに関係するアルフェン波、赤外熱波、スペクトル発光から選択される、請求項１に記載のプロセス。
【請求項３】
前記生成された波が単一の波として、または所望の波の組合せとして、または全ての波の複雑な組合せとしてのいずれかで使用される、請求項１に記載のプロセス。
【請求項４】
請求項１のステップ（ｌ）で、行なわれる物理化学的性質の変化が並進、回転、振動エネルギ準位、物質の分子の電子運動を含み、結果的に導波管中の波の周波数と伝搬モードに依存した分子エネルギの変化、結合角の変化、結合の変化、結合配向、分子構造の再構成、ピコ秒ラジカルまたは粒子の発生をもたらす、請求項１に記載のプロセス。
【請求項５】
従来の表面触媒作用に加えて、放電プラズマの電子ガスから電子捕獲プロセス、電子注入プロセス、または共振捕獲プロセスを通じて活性化される分子へエネルギを移動することができる準安定状態のピコ秒粒子、電子、原子、または分子の生成が処理される物質中で「エネルギ触媒」を促進する、請求項１に記載のプロセス。
【請求項６】
前記プロセスが、いずれかの機械または熱機関サイクルの性能および全体的効率を向上するプロセスの化学反応動力学に影響を及ぼす、粘度、密度、温度、比熱容量、状態の変化、物質の空間電荷、エンタルピ、エントロピ、表面張力、物質のエネルギ準位から選択された物質の性質のいずれか一つまたは全部または組合せの変化を促進する、請求項１に記載のプロセス。
【請求項７】
処理された物質を使用して、合成、触媒作用、燃焼、燃焼からの排気、および熱エンジンサイクル性能を制御する物質の分子工学のプロセスを実行する、図１ないし４に示す合成装置で、かつ波の発生器、発振器、光学的およびプラズモン導波管、および空洞量子電子動力学的個体イオンデバイスとしての機能をする合成装置であって、
（ａ）入口および出口、導波管、ならびに流動物質へのマイクロ波熱のアプリケータとして働く、物質を輸送するための終端の開放された中心導管［直管］（１）手段と、
（ｂ）管（１）を包封しかつ支持する、両端がブシュ（６）によって閉鎖されたより大きい径の導管［管］（２）と、
（ｃ）ステップ（ａ）および（ｂ）の導管［管］をそれらの中心と同一軸に配置することと、
（ｄ）電位の印加によって電磁源にするために導管［管］（２）の上に複数のコイル（３）を巻回することと、
（ｅ）コイルの両端を電位に接続して電流の通電を容易にし、管（２）と管（１）の間の空洞内部の電磁波を共振させ、コイルの加熱によってコイル巻線上および同軸導波管兼管（２）および管（４）のナノワイヤ、ナノチューブの環の間の誘電体複合体および半導体を励起し、コイルを取り囲む電子波によってプラズマの加速を可能にし、室温での利得の要因となってメーザおよびレーザアクションを生じる電子ー正孔プラズマメカニズムによって光子を放出し、光増幅、導波管兼管中の光伝搬のためのファブリーペロー空洞および利得媒質の役目をするナノワイヤ、ナノチューブと、
（ｆ）絶縁ブシュ（５）および（８）で管（１）および（２）の中心位置を保持する手段を有し、金属円板で両端が閉鎖された別の導管［管］（４）によって、導管［管］（１）および（２）を含む同軸システムを包封することと、
（ｇ）管（１）と管（２）との間のキャビティ空間は合成装置の出力要求に従って大気圧の空気、またはいずれかのガス、またはナノワイヤ、ナノチューブのいずれかの誘電体複合材、または真空を充填することと、
（ｈ）誘電体複合絶縁体の誘電率は合成される物質との相互作用に使用される波の周波数に依存して完全絶縁体から半導体を有する半絶縁体に渡って変化し、それを触媒、促進剤および樹脂複合体で成形した二酸化ケイ素ナノワイヤ、酸化亜鉛ナノワイヤ、窒化ガリュームおよび第２酸化鉄ナノワイヤおよびナノチューブアレイのいずれか１つまたは全てで取り囲み、
（ｉ）管（１）、管（２）および管（４）の外表面および内表面の半導体層コーティング（７）と、
（ｊ）合成される物質に従って必要な場合は何時でも、合成装置を過熱から冷却するため、および管（１）内を流れる流体の温度を上昇させるための手段として、管（４）を包封する流路（１０）と、
（ｋ）管（４）の両側にある接地用のブラケット（９）と、
（ｌ）管（１）を磁化可能または非磁化可能にし、かつ物質および絶縁特性に応じてそれを合成装置の正電位（陽極）または負電位（陰極）の要素にするための、管（２）の両側にあるブシュ（６）と、を含む合成装置。
【請求項８】
前記絶縁コイルが銅、アルミニウム、またはいずれかの導電性材料から選択された導電性材料から作られ、管（２）上の同じ直径の単一長ワイヤまたは同じ連続性の１つの正端および１つの負端を有する金属リンクの円形印刷配線板形状または管（２）に巻かれた同じ直径の異なった長さのワイヤまたは同じ連続性を有する金属リンクで異なったコイルを形成し、各コイルが１つの正端および１つの負端を有し、各コイルのワイヤまたは金属リンクの端が同じ電源の同じ電位、異なった電源、または異なった電位に接続されて、分割コイルの形成が、
（ａ）同じ電圧の電池が他のアプリケーションのために直列に接続され、直列接続の電池のために適切な出力電圧の共通の充電器または交流発電機によって充電されるとき、電池による等しい負荷を分担し、
（ｂ）入力として直流電流源、交流電流源、高周波電流源、またはいろいろな電源の組み合わせに同時に接続し、同時に各コイルの巻線の異なった端子を各異なった電源に接続して複雑な励起および複雑な波の伝播を発生させ、
（ｃ）異なった物質の処理に適するように合成装置のインピーダンス、抵抗、または特徴を変化させるために管（２）の上の同じ直径のワイヤまたは異なった直径のワイヤから作られたコイル巻線を使用し、上記ステップ（ａ）、（ｂ）のように使用し、またはそのような端子を別々の極性の電位に接続して、コイル端の電源端子との接続の変更に依存して、磁極を変更し、結果として伝搬する波を変更し、
（ｄ）熱、波の発生、伝搬、および振動を操作するために異なった直径のコイル巻線の端子を直列または並列に内部接続することを促進する、請求項7に記載の合成装置。
【請求項９】
その上に絶縁ワイヤ巻線が巻かれている中心導管（１）および管（２）が正の電位（陽極）の役目をし、導波管、同軸共振器およびそれらを取り囲み、ブッシュ（５）によって絶縁されている外部中空管（４）が負の電位を有して陰極またはバイアスの振る舞いをし、環中でナノワイヤ、ナノチューブおよび半導体を取り囲んで同軸共振器、導波管、プラズマ発生器兼加速器の役目をして、構成中で合成装置を通過する液体、ガス、または化学物資と相互作用する波の増幅、モード伝搬、空洞中の軸方向および半径方向電磁界分布の強度およびパターンおよび電磁波および他の波の周波数が、
−内管および外管の円形中空断面の直径、
−管の長さ、
−管の厚み、
−非円形断面の場合の管の断面の形状およびそれらの寸法、
−絶縁された銅または電流を流しているワイヤの巻線数およびその直径、
−直流の場合は絶縁ワイヤの巻き線の電流と電圧および交流の場合は他のパラメータ、即ち周波数、
−空洞媒体の誘電率、
−管の材料の透磁率、
から選択されるパラメータに依存する構成の、請求項７に記載の合成装置。
【請求項１０】
前記合成装置が管（４）を経由して物質を循環するための流体流路（１０）を備えた筐体を有し、
（ａ）合成装置によって発生された熱を吸収し、処理される物質にその熱の利用を可能にし、一方また合成装置を冷却し、
（ｂ）筐体（７）の先端に適切にもう１つの流体流路（１０）を追加し、筐体（７）に設置された流路を全体として２つにし、管（１）をブラケット（９）の外側に突起するように延長し、管（４）のいずれかの端にブラケットを設置し、１つの物質の管（１）の中での合成のための流れを容易にし、流体流路（１０）の中の異なった物質の流れが合成装置によって発生された熱を異なった物質によって利用できるようにすることにより、同時に２つの異なったアプリケーションへの合成装置を使用し、
（ｃ）合成装置で燃料を管（１）を通過させ、同時に車両の空調機の液体フレオンを筐体（７）の流体流路（１０）を通過させて合成装置を冷却し、同時に空調機にヒートポンプ効果を提供してその熱力学的効率、性能、冷却効果および電力吸収を変化させて、ディーゼルまたはガソリンエンジン中の燃料合成のためのボード燃料改質装置兼電子触媒コンバータ上のプリエンジンとして使用を促進する、請求項７に記載の合成装置。
【請求項１１】
前記同軸管が、正電位または陽極として働く管および負電位または陰極として働く外部中空管上に巻回された銅または他の導電性材料から作られた絶縁コイルの両端に電位が印加されて、結果的にプラズマを発生させる電流値で内部導体によって軸方向磁界およびアジマス磁界が発生したときに、電子の半径方向閉込めが可能なマグネトロン、プラズマ発生装置兼加速器として働き、電子は高い周波数で低い角運動量の非円形軌道でその周囲を周回し、半径方向の電界が大きい相互作用領域内に断熱的に圧縮されるので、断熱圧縮は電子密度のみならずそれらの直交方向対平行方向エネルギ比をも増大させ、放射界への共振エネルギの伝達を促進し、豊富な高調波を持つ高速波を生成し、結果的に放出放射によるマイクロ波の増幅が達成される、請求項７に記載の合成装置。
【請求項１２】
中空円形断面の同軸空洞共振器として働く導管［管］の長さは、筐体兼マイクロ波、ミリ波、超音波、音波、表面波、プラズマ波、縦型静電ウィグラ、空間電荷波、静電イオン−サイクロトロン波、電子波から選択された電磁波の全部またはいずれか一つまたは組合せの生成、増幅、伝搬、およびこれらの波の液体、ガス、または化学物質との相互作用のための導波管として、別の中空円形断面管によって包封される、請求項７に記載の合成装置。
【請求項１３】
同軸システムがデバイスの全ての３つの管の中心線が同じ軸内にあり、全体のシステムが合成、触媒、燃焼、燃焼からの排気、熱エンジンサイクル性能、化学反応の動力学、物質の物理的、化学的性質、波の発生、伝搬および振動を制御するためのマグネトロン、コールドプラズマ発生兼加速器、同軸空洞アンテナ、または導波管および個体イオンデバイスとして動作することを保証する、請求項７に記載の合成装置。
【請求項１４】
前記合成装置が、マイクロ波発生用のマグネトロン、同軸空洞共振器、プラズマ発生装置兼加速器、導波管、およびマイクロ波およびその熱を流動する物質に伝達するためのアプリケータおよび通信のための携帯波発生器として働き、幾つかの形状断面管の組合せを含む円形断面以外の任意の形状断面の導管（管）から構成され、合成装置を通過する物質に特徴的な共振周波数または近共振周波数の電磁波または他の波からのエネルギ伝達によって物質をイオン化する、請求項７に記載の合成装置。
【請求項１５】
前記合成装置が何時でもその中に物質を流すための中心管を有し、物質の流れが触媒の存在有りまたは無しで発生し、処理される物質に依存して空洞中の半導体層が触媒の役目をしたり、しなかったりする、請求項７に記載の合成装置。
【請求項１６】
前記合成装置が、合成装置の一部となるように装置内に組み込まれた、物質の流動用の中心管を有し、合成装置に組み込まれる構造配列を維持しながら前記中心管を従来の流路内で使用される従来の管に置き換え、従来の流動管路自体を同軸システム、導波管、およびアプリケータの一部として使用し、残りの構造配列を、物質を搬送する既存の従来の管路内に挿入することを可能にする、請求項７に記載の合成装置。
【請求項１７】
前記合成装置を自動車の排気の制御用に柔軟に設計し、
−キャブレタの前またはキャブレタ内のいずれか、
−燃料噴射器の前、噴射器内、または噴射器の後、
−燃料噴射ポンプの前、
−燃料取込みマニホルド内、
−エンジン燃料取込み口の前、または燃料戻り管路内、エンジンと燃料タンクを接続する燃料管路、または燃料タンク自体内、から選択された所望の位置のいずれかに最適に配置する、請求項７に記載の合成装置。
【請求項１８】
前記合成装置が排気制御に使用され、プリエンジンデバイスとしてエンジンまたは車両の燃料ラインに取り付けられたとき、燃料を一部イオン化し、水素イオンまたはガスを開放して燃料の性質を変え、開放された水素が燃料中の微量の硫黄と反応して室温または励起された状態かつ対応する温度で硫化水素を形成し、アプリケータの鉄の（１００）面が硫黄原子を四元サイトに固定してＣ（２ｘ２）構造を与えることを可能にし、基本的な正方形格子を基板の格子に対して４５度回転させ、燃料の数回の通過によって吸着の表面濃度が増加して構造をＣ（２２ｘ２）、Ｃ（１８ｘ２）、Ｃ（１６ｘ２）、Ｃ（１４ｘ２）、そして最後にＣ（１０ｘ２）にし、同様の吸着がまたアプリケータのイオン化されたニッケル原子によっても発生してＰ（２ｘ２）を生成し、ルート３ｘルート３だけ回転して３０度回転し、硫黄原子が三元サイトに配置され、基板原子に対して硫黄原子が一致格子Ｐ（５ｘ５）に関してコンパクトな配置になり、燃料中の微量の硫黄によって変更された構造、吸着層がまた励起状態で表面触媒および酸化剤の役割をして合成を加速し、合成された燃料が燃焼、反応の動力学を変え、燃焼生成物の質量バランスを変えて不燃焼燃料、有毒ガスの排気を減少し、分子エネルギレベルおよび燃料の発熱量、燃料の蒸気対空気比、燃料の活性化エネルギの変化のおかげで空気に対して少ない燃料の混合でエンジン動作の強化を可能にする、請求項７に記載の合成装置。
【請求項１９】
前記合成装置が実時間で車両／エンジン中の燃料を水素リッチにするための電子触媒コンバータまたはオンボード燃料改質装置として、または実時間で品質を改良するためにディーゼル、有鉛、無鉛ガソリン、エタノールまたは他の添加物入り燃料、ガス燃料および液体燃料から選択されたいずれかの自動車燃料のための共通触媒コンバータとして使用される、請求項７に記載の合成装置。
【請求項２０】
前記合成装置がマイクロ波発生器、同軸空洞共振器、プラズマ加速器、個体イオン構造および空洞量子電子動力学によって生成された電磁波、表面波、音波、光波、プラズモン波、および多くの他の波の導波管、物質へのマイクロ波熱アプリケータとして動作し、半導体、およびナノワイヤ、ナノチューブからのマイクロ波および光の放射が合成装置中で誘導放出放射作用によって増幅され、電子ビームの軸は導波管の軸と一致し、電子の運動は装置の正電位の中心導体と負電位の外部導体間の電界によって半径方向に閉じ込められ、それによって、
（ａ）電子が軸を横切るそれらの運動エネルギのごく一部分で軸を取り巻く軌道上を移動し、マイクロ波または他の波および半導体からの光子の放射またはナノワイヤ、ナノチューブからのレーザビームが合成を引き起こすことが可能になり、
（ｂ）合成が、すなわちイオン、遊離基、ピコ秒粒子を放出する液体、気体、または化学薬品の部分的または完全なイオン化、分子の結合角の方向の変化、分子の構造の再構成および結合の変化、酸化、還元、水素添加分解、熱放出または熱吸収、取り扱う流体の分子構造に応じて結果的に水和に加えて結合の破壊、連結、再構成、細分化を引き起こす有機合成、物質の粘度、密度、温度、活性化エネルギ、表面張力、および他の物理化学的性質の変化の全てまたはいずれか一つを含む、請求項７に記載の合成装置。
【請求項２１】
前記合成装置を圧縮機と共に冷凍機の冷媒流路内の電子インラインヒートポンプとしても使用し、あるいはより小さい容量のシステムの圧縮機の代わりとして使用し、あるいはいずれかの熱機関サイクルで熱動力学的性能を向上するためにヒートポンプとして使用する、請求項７に記載の合成装置。
【請求項２２】
前記合成装置をまた、燃料改質装置として燃料電池で使用するためのクリーンな燃料生成のために、いずれかの水素リッチ流体または物質から水素の発生または分離に使用するか、または励起と磁気流体力学流動条件によって発生された電子を利用して電位を生成する燃料電池として使用する、請求項７に記載の合成装置。
【請求項２３】
前記合成装置を、二酸化炭素、一酸化炭素、および窒素酸化物を含む自動車の排気ガスを励起して、排気ガスのさらなる低減処理を行なうため、排気二酸化炭素を他のアクセサリと共に使用してレーザビームを発生して、二酸化炭素レーザビームを衝突防止のための正確な車両のナビゲーション、燃料のレーザビーム点火、レーザビーム燃料合成等を含むアプリケーションに使用する、請求項７に記載の合成装置。
【請求項２４】
前記合成装置を、追加の物質の注入と共に、または追加の物質の注入無しに、いずれかの真空システムと一緒に使用し、流体または化学薬品をより軽い原子または分子に合成または細分化するために使用し、あるいは新しい医薬品および化学品を含むエネルギ触媒の励起条件下で新規の薬剤の生産のために使用する、請求項７に記載の合成装置。
【請求項２５】
前記合成装置を水搬送管、シュガーシロップ管内のスケール形成の防止、水の軟化および、冬季に流体管路のインライン加熱器として使用して流動管路内の流体の凍結の防止や流体の粘性を変更してより少ないエネルギまたは電力でポンピングすることを促進することを含めた同様の用途に使用する、請求項７に記載の合成装置。
【請求項２６】
前記装置が同じ処理を実行して合成、触媒、燃焼、燃焼からの排気、熱エンジンサイクル性能、化学反応の動力学、物質の物理的および化学的性質の制御のためのいろいろなアプリケーションに使用され、燃料電池、通信用の波の発生器および発信器、冷却、ライン加熱、スケール形成除去、水の軟化、自動車の排気またはいずれかの燃焼エンジンの排気から生成したレーザビームのさらなるアプリケーション、新しい医薬品または化学的製剤、または物質の生成に使用される、請求項７に記載の合成装置。
【請求項２７】
内部導管兼導波管が予め選択された周波数領域の電磁波の伝搬のために一般に内部導管兼導波管と同軸の複数の外部導管兼導波管によって保持され、各順次外部導管兼導波管は隣接する外部導管兼導波管よりは大きな直径を有し、複数の導管兼導波管の１つは内部導管兼導波管に対して内部導管兼導波管と隣接する外部導管兼導波管との間に空洞を形成するように配置され、各隣接する対の外部導管兼導波管が空洞を形成し、各空洞が空洞中に誘電体ガスまたは空気が使用されたときに予め選択された周波数領域の電磁波を伝搬するように保持され、発生されて異なったモードで伝搬する異なった周波数の波によって前記合成装置が通信のための同軸アンテナまたは共振器として動作する、請求項７に記載の合成装置。
【請求項２８】
コイルの両端を電位に接続して電流の通電を容易にし、同軸空洞内部の電磁波を共振させ、コイルを加熱すると共にコイル巻線上および同軸導波管兼管の間のナノワイヤ、ナノチューブの誘電体複合体および半導体を励起し、コイルを取り囲む電子波によってプラズマの加速を可能にし、室温での利得の要因となってメーザおよびレーザアクションを生じる電子ー正孔プラズマメカニズムによって光子を放出し、ナノワイヤ、ナノチューブが光増幅、導波管兼管中の光伝搬、発信のためのファブリーペロー空洞および利得媒質の役目をし、それをユニークな個体イオニックデバイス、光導波管、プラズモン導波管、空洞量子動力学デバイスにする、請求項７に記載の合成装置。
【請求項２９】
発生されたマイクロ波熱がガソリンまたはディーゼルを蒸発させ、液体燃料をガス状態に変換し、いずれかのエンジンまたは車両に直接または他のガス燃料と組み合わせて燃料供給し、燃焼からの排気を減少させ、性能を強化するために使用される、請求項７に記載の合成装置。
【請求項３０】
発生された電磁放射およびマイクロ波が食品、穀物の乾燥を加速させ、経済的なコストで照射するため、および極端な気候条件下で自動車のラジエータの水またはエンジン冷却パスの凍結を防止するため、および他の多くの一般加熱アプリケーションのために使用される、請求項７に記載の合成装置。
【請求項３１】
前記合成装置が図４のようないずれかの真空システムと連動してそれによって発生されたマイクロ波熱が海水または塩水または汚染水をより低い温度で蒸発させることを可能にし、単独でまたは太陽加熱システムと共に使用されたとき純粋な水の生成を容易にし、またいずれかの太陽加熱または冷却システムの待機装置として、または夜や雨の日などの日照がないときなどの太陽エネルギ照射が変動する際の出力性能補償装置として使用される、請求項７に記載の合成装置。
【請求項３２】
前記合成装置が熱動力学的性能を強化するために、既存の熱源（複数）に追加される電子インライン熱ポンプまたは蒸気吸収冷却サイクルフローライン中の独立した熱源として使用される、請求項７に記載の合成装置。
【請求項３３】
前記合成装置が空洞中に閉じ込められた電界および磁界成分を有し、いろいろなモードのマイクロ波および他の波が伝搬する同軸導波管を備え、導波管空洞中の電界が適切な電界を印加することによる炎の消去を含んで、空洞中の炎の色、煤煙の生成、炎の温度、炎の長さ等の炎の特徴を変更するために使用される、請求項７に記載の合成装置。